(57)【要約】【課題】キャスターの転動を防止し、且つキャスター自体を床面に対して水平方向にも垂直方向にも移動不可能に固定でき、筺体部分とベース部分が一体化されており、キャスターを転動して収納しやすい構成、及び固定と解除を簡便にこれを行える構成のキャスター固定具を開発する。【解決手段】キャスターを収納する筺体と、キャスターを転動させつつ円滑に筺体内に収納できる誘導手段と、キャスターの水平及び垂直の動きを防止してキャスターを筺体に固定するためのキャスター固定手段と、筺体を床面に固定する全体固定手段と、から構成されているキャスター固定具を提供する。【選択図】        図７
0003125060.tif 000002
【実用新案登録請求の範囲】
【請求項１】
キャスター固定具であって、キャスターを収納する筺体と、キャスターを転動させつつ円滑に筺体内に収納できる誘導手段と、キャスターの水平及び垂直の動きを防止してキャスターを筺体に固定するためのキャスター固定手段と、筺体を床面に固定する全体固定手段と、から構成されていることを特徴とするキャスター固定具。
【請求項２】
キャスターを収納する筺体が底面と両側面から構成され前部と後部は開放状態であり、上記誘導手段として、筺体の前部あるいは後部のどちらか一方又は両方において、筺体の底面の開放端の端部に斜路が形成されていることを特徴とする請求項１に記載のキャスター固定具。
【請求項３】
キャスターを収納固定する筺体が底面と両側面から構成され前部と後部は開放状態であり、上記誘導手段として、筺体の前部あるいは後部のどちらか一方又は両方において、筺体の両側面の端部が外側に開かれたガイドとして構成されていることを特徴とする請求項１あるいは請求項２に記載のキャスター固定具。
【請求項４】
上記キャスター固定手段として、平板状の座金付のキャスターの座金が固定される連結部材を有し、該連結部材がボルトと蝶ナットにより筺体に固定されていることを特徴とする請求項１あるいは請求項２あるいは請求項３に記載のキャスター固定具。
【請求項５】
上記固定手段として、軸がキャスターのカバー部材の上面に当接し一端が筺体の左側面に挿通固定され他端が筺体の右側面に挿通固定されたボルトと、軸がキャスターの車輪の前面に当接し一端が筺体の左側面に挿通固定され他端が筺体の右側面に挿通固定されたボルトと、軸がキャスターの車輪の後面に当接し一端が筺体の左側面に挿通固定され他端が筺体の右側面に挿通固定されたボルトを有し、軸がキャスターの車輪の前面に当接するボルトあるいは軸がキャスターの車輪の後面に当接するボルトの少なくとも一方を締結するナットが蝶ナットであることを特徴とする請求項１あるいは請求項２あるいは請求項３あるいは請求項４に記載のキャスター固定具。
【請求項６】
筺体を床面に固定するための全体固定手段が、１００Ｈｚ以下の低周波帯に振動特性を有しないスチレン系ポリマー製の板材であることを特徴とする請求項１あるいは請求項２あるいは請求項３あるいは請求項４あるいは請求項５に記載のキャスター固定具。
【考案の詳細な説明】
【技術分野】
【０００１】
本考案は、キャスター固定具であって、キャスターを収納する筺体と、キャスターを転動させつつ円滑に筺体内に収納できる誘導手段と、キャスターの水平及び垂直の動きを防止してキャスターを筺体に固定するためのキャスター固定手段と、筺体を床面に固定する全体固定手段と、から構成されていることを特徴とするキャスター固定具に関するものである。
【背景技術】
【０００２】
近年、防災意識が高まるにつれ、地震対策として、一般家庭にてもオフィスにても、家具や備品の転倒防止技術の開発が盛んになってきた。このうち、床面に据え置きで移動させることが余り考えられない家具や備品の転倒防止技術は既に万全に近いものがあるが、脚部や底面にキャスターを有し、簡単に移動可能な家具や備品の転倒防止技術の開発は一歩遅れている感は否めない。
【０００３】
すなわち、脚部や底面にキャスターを設ける理由は、移動に便ならしむるためにほかならないが、これは又、地震の際にも、これらの家具や備品が簡単に動いてしまうということを意味するものである。したがって、望まない動きを防止するためにストッパー付のキャスターや、キャスターの受け皿が開発された。
【０００４】
確かに、ストッパー付のキャスターや、キャスターの受け皿を用いることにより、地震の揺れなどによるキャスターの勝手な転動はある程度防止される。しかしながら、この場合には、キャスターの動きは抑えられても、家具や備品自体が転倒することまでは防止できない。すなわち、ストッパー付のキャスターの場合には、キャスターの転動が起こらないのでキャスター自体が脚部や底面の一部となり、縦揺れや強い横揺れによって家具や備品が転倒する。また、受け皿を設けた場合にも、縦揺れや強い横揺れによってキャスターが受け皿を外れて転動したり、あるいは家具や備品自体の転倒が起こる。したがって、このような事態まで防止するためには、キャスターの転動を防止するだけではなく、キャスター自体が床面に対して水平方向にも垂直方向にも移動不可能に固定されている必要がある。
【０００５】
本発明は、上記のような特徴を有するキャスター固定具を開発することを目的とする。ただし、キャスターにはいろいろな種類があるので、対象とするキャスターとして、現在最も多く市販されていると考えられる平板状の座金付のキャスターを主体とし、必要に応じて他の形式のキャスターにも応用可能なものとすることとした。従来技術においては、まず座金付のキャスターを、床面に対して水平方向にも垂直方向にも移動不可能に固定する器具を検索したが、当てはまるものは見出せなかったので、次に、座金のないキャスターを床面に対して固定状態とする技術内容を開示している特許文献を検索した。その結果は下記のとおりである。
【特許文献１】特許第３０１９９８９号公報
【特許文献２】特開２００５‐９９４９１号公報
【特許文献３】実用新案登録第３０６０９８２号公報
【考案の開示】
【考案が解決しようとする課題】
【０００６】
上記特許文献１の発明は、主として病院のベッドを床に固定するために開発されたものであって、キャスターの受け皿（基板）を床に粘着性振動吸収板材にて固定し、さらに、ベッドの脚部を係止ベルトにて受け皿（基板）に固定するものである。しかしながら、この方法では、強い揺れで係止ベルトが切断される惧れもあり、さらにキャスターそのものは受け皿（基板）に固定されていないので、縦揺れや強い横揺れにより、受け皿（基板）から外れてしまう危険もある。特に急激な縦揺れに襲われた場合に、キャスターが受け皿（基板）から飛び上がり、ショックで係止ベルトが切断される可能性は充分に考えられる。また、受け皿（基板）を外してキャスターを転動させ、ベッドを移動したい場合に、このような形式であると固定解除に多くの手間がかかるので実用的ではない。家庭やオフィスにて、キャスター付の家具や備品の利点は、簡単に移動できるので掃除や部屋の模様替えの際に極めて楽であるという点にあるが、特許文献１のような固定方法を用いると、移動の度に多くの手間をかけて固定解除を施し、さらにまた再び固定せねばならない。この点の改善は、実用性という観点からきわめて大事なことになってくる。
【０００７】
また、上記特許文献２の考案は、主としてピアノの脚部のキャスターを床面に固定する技術として開示されているもので、キャスターを収納するシャフトホルダーがまず板状のベースに固定され、さらにベースは板状の密着固定材によって床面に固定される。さらに、キャスターは、シャフトホルダーに渡設された２本の保持シャフト（ボルトの軸）に挟着される形で固定されるが、２本の保持シャフトには夫々円筒形状のスリーブが着脱自在に嵌められていて、このスリーブの着脱により、一定範囲のキャスターサイズの変化に対応できるとある。
【０００８】
特許文献２の装置は、シャフトホルダーに渡設された２本の保持シャフト（ボルトの軸）にてキャスターを固定するものであるが、キャスターの水平方向と垂直方向のいずれの方向に対する動きも完全に封じるためには、この形式の場合、最低３本のシャフトが必要となる。特許文献２の図２〜図５に示される実施例の場合には、垂直方向と図面右方向のキャスターの移動はほぼ完全に制限されるが、図面左方向に強い力が働いた場合には、ホルダー５３が保持シャフト３７に衝突し、保持シャフト３７が破壊される惧れもある。このように、シャフトによってキャスターを固定せんとする場合には、強い縦揺れ、横揺れを考えると、シャフトが最低３点でキャスターに当接してキャスターそのものが動く余地のないように固定するという構成をとらなければ安心できない。また、特許文献２の装置においては、シャフトホルダー１５が一旦取付部材７に螺着され、さらに取付部材７がベース３に固着され、さらにベース３が密着固定材５によって床面に固定されるという構成を採るが、このように固定段階が多段階に渡ると、各部材の夫々の連結部分において、衝撃の際に連結部分が破壊される惧れがあるので、部品点数はできるだけ少なく、連結部分数も最小としたい。特許文献２の装置でいうなら、シャフトホルダー１５と取付部材７の螺着部分、及び取付部材７とベース３の固着部分が衝撃による破壊の対象となるので、この部分は同一部材で一体として構成した方がより衝撃に強い装置となるのは明らかである。
【０００９】
なお、特許文献２の装置にては、保持シャフト３７を羅脱すればキャスターの固定は解除できるので、特許文献１の装置に比較すれば、キャスターを移動可能状態とするのははるかに楽である。ただ、蝶ナットが固く締まりすぎている場合など、女性やお年寄りにとっては解除が容易でないケースも考えられるので、この点に対する配慮は必要と思われる。また、固定を解除してキャスターを図３〜図５の左方向に転動させ、キャスターをベース３から床面に降ろす際に、ベース３と床面の間に段差があるので、ここで衝撃が発生する。段差は僅かであるが、衝撃は操作者にとっては不快であるばかりではなく、キャスターで支えられている物品の種類によっては悪影響がある場合も考えられるので、なるべくこの部分での衝撃を小さくしたい。また、キャスターをシャフトホルダー１５内に再収納する場合にも、ベース３と床面の間の段差を登らねばならないが、操作者が女性やお年寄りであったり、あるいは物品が極めて重いものであったりすると、この僅かの段差が障害となってキャスターの再収納が不能となる場合も考えられる。また、なんとかベース３に載上できたとしても、次にキャスターをシャフトホルダー１５内にうまく収めなければならない。シャフトホルダー１５の対向片１９、２１の間隔は、キャスターの横幅ぎりぎりに構成されているので（そうしないと横ずれを誘発する）、進行方向が一定しないキャスター（取付軸に対して回転自在である点がキャスターの特色）をうまく対向片１９、２１の間に収めるのは、慣れない人や力の弱い人には労苦を強いる作業とならざるを得ない。したがって、この点の改善も望まれる。
【００１０】
上記特許文献３の器具は、衝撃吸収材の性能に重点を置いた考案であり、この点が前記特許文献１、２とは大きく異なる点といえる。特許文献１の粘着性衝撃吸収板材５０はウレタンゴム製で９１〜９６％の衝撃吸収率を有すると記載されているが、特許文献２の密着固定材５については、詳細は開示されていない。この点については、ある程度の詳細は開示されるべきと考える。なお、特許文献３の器具においては、キャスターをキャスター収納ボックス３に固定する機構としてキャスター上部に嵌着されるカバー部材４を用いているが、このカバー部材４は、キャスターを上から押さえる構造であるため、垂直方向の振動に対してキャスターの動きを抑制する効果はあるものと思われる。しかし、図５から見る限り、前方向には抑止する構成がなにもないので、水平方向の揺れに弱く、とくに前後方向に強い揺れが働いた場合、簡単にキャスターが滑り出てしまうものと考えられる。また、固定解除のためにはキャスター収容ボックス３とカバー部材４を連結している２箇所の取り付けねじ５ａ、５ｂをプラスドライバーにて緩めなければならず、この操作は少々面倒である。また固定する際にはこの逆の操作が必要となり、やはり面倒である。また、特許文献３には、キャスターを転動させて収容ボックス３に収容できることが開示されているが、特許文献２と同様、床面と板状体２（ベース部材）との間に段差があり、かつキャスター収容ボックス３の両翼間に円滑にキャスターを導き入れる構成がないという特許文献２と同様の問題がある。
【００１１】
上記より、本考案の課題を、以下のように設定した。
＜課題１＞
キャスターの転動を防止するだけではなく、キャスター自体を床面に対して水平方向にも垂直方向にも移動不可能に固定することができるキャスター固定具を開発する。なお、対象とするキャスターは、最も多く市販されていると考えられる平板状の座金付のものを主体とするが、必要に応じて、他の形式のキャスターにも応用可能なものとする。
＜課題２＞
キャスターを収納する筺体部分とキャスターを載上するベース部分を別構造とすると、その連結部分が衝撃で破壊あるいは損傷される可能性もあるので、筺体部分とベース部分を一体として構成する。すなわち、部品点数を最小限に抑えて、衝撃に対して弱い部分をできるだけ減らした構成とする。
＜課題３＞
キャスターを収納する筺体部分を、できるだけキャスターを転動して収納しやすい構成とする。具体的には、キャスターが載上される筺体底面と床面との段差の解消を図り、さらに筺体の両側面にも、自在に回転するキャスターを収納しやすいようにガイド部分を設ける。
＜課題４＞
キャスターの固定手段は、課題１にあるように水平方向の力に対しても垂直方向の力に対してもキャスターの動きを確実に抑制できる構成としつつ、その固定及び解除に際しては、できるだけ簡便かつ無用な力を要せずにこれを行える構成とする。
＜課題５＞
キャスター固定具全体を床面に固定するための全体固定手段については、ある程度その構成を開示する。
【課題を解決するための手段】
【００１２】
本考案は、上記課題を解決するためになされたものであって、下記の解決手段を提供するものである。
＜解決手段１＞
キャスター固定具であって、キャスターを収納する筺体と、キャスターを転動させつつ円滑に筺体内に収納できる誘導手段と、キャスターの水平及び垂直の動きを防止してキャスターを筺体に固定するためのキャスター固定手段と、筺体を床面に固定する全体固定手段と、から構成されていることを特徴とするキャスター固定具。
＜解決手段２＞
キャスターを収納する筺体が底面と両側面から構成され前部と後部は開放状態であり、上記誘導手段として、筺体の前部あるいは後部のどちらか一方又は両方において、筺体の底面の開放端の端部に斜路が形成されていることを特徴とする解決手段１に記載のキャスター固定具。
＜解決手段３＞
キャスターを収納固定する筺体が底面と両側面から構成され前部と後部は開放状態であり、上記誘導手段として、筺体の前部あるいは後部のどちらか一方又は両方において、筺体の両側面の端部が外側に開かれたガイドとして構成されていることを特徴とする解決手段１あるいは解決手段２に記載のキャスター固定具。
＜解決手段４＞
上記キャスター固定手段として、キャスターの座金が固定される連結部材を有し、該連結部材がボルトと蝶ナットにより筺体に固定されていることを特徴とする解決手段１あるいは解決手段２あるいは解決手段３に記載のキャスター固定具。
＜解決手段５＞
上記キャスター固定手段として、軸がキャスターのカバー部材の上面に当接し一端が筺体の左側面に挿通固定され他端が筺体の右側面に挿通固定されたボルトと、軸がキャスターの車輪の前面に当接し一端が筺体の左側面に挿通固定され他端が筺体の右側面に挿通固定されたボルトと、軸がキャスターの車輪の後面に当接し一端が筺体の左側面に挿通固定され他端が筺体の右側面に挿通固定されたボルトを有し、軸がキャスターの車輪の前面に当接するボルトあるいは軸がキャスターの車輪の後面に当接するボルトの少なくとも一方を締結するナットが蝶ナットであることを特徴とする解決手段１あるいは解決手段２あるいは解決手段３あるいは解決手段４に記載のキャスター固定具。
＜解決手段６＞
筺体を床面に固定するための全体固定手段が、１００Ｈｚ以下の低周波帯に振動特性を有しないスチレン系ポリマー製の板材であることを特徴とする解決手段１あるいは解決手段２あるいは解決手段３あるいは解決手段４あるいは解決手段５に記載のキャスター固定具。
【考案の効果】
【００１３】
本考案の、解決手段１の考案によれば、キャスターを収納する筺体と、キャスターを転動させつつ円滑に筺体内に収納できる誘導手段と、キャスターの水平及び垂直の動きを防止してキャスターを筺体に固定するためのキャスター固定手段と、筺体を床面に固定する全体固定手段と、から構成されているので、上記筺体によりキャスターの収納部分とキャスターを載置するベース部分が一体化されているから振動や衝撃に弱い部材の連結部分が極力削減されており、全体として振動により強い構成となっている。また、上記誘導手段により、キャスターを転動させつつキャスター固定具内に収納する際も、キャスター固定具内から離脱させる場合も極めて円滑にこれを行うことができる。また、上記キャスター固定手段によりキャスターの転動はもとより、キャスターの水平方向及び垂直方向の動きが防止されるから、地震の際の強い縦揺れ、横揺れに対してもキャスターが動き出すことがない。また、上記全体固定手段により、キャスターとキャスター固定具の全体が確実に床面に対して固定される。
【００１４】
本考案の解決手段２の考案によれば、キャスターを収納する筺体が底面と両側面から構成され前部と後部は開放状態であり、上記誘導手段として、筺体の前部あるいは後部のどちらか一方又は両方において、筺体の底面の開放端の端部に斜路が形成されているので、キャスターを転動させてキャスター固定具に収納、あるいは離脱させる場合に、筺体の底面から床面に（あるいは逆に）キャスターが極めて円滑に転動し、従来のように段差部分にて衝撃があったり、あるいは段差部分にてキャスターが付属する物品全体を持ち上げなければならなかったりということが起こらない。したがって、女性やお年寄りや力の弱い人においても、非常に楽にキャスターの収納、あるいは離脱を行うことができるようになった。また、物品に衝撃がないので、衝撃や振動に弱い物品に対しても、安心してキャスター固定具への収納、また離脱を行えるようになった。
【００１５】
本考案の解決手段３の考案によれば、キャスターを収納固定する筺体が底面と両側面から構成され前部と後部は開放状態であり、上記誘導手段として、筺体の前部あるいは後部のどちらか一方又は両方において、筺体の両側面の端部が外側に開かれたガイドとして構成されているので、キャスターを転動させてキャスター固定具に収納させる場合に、これまでのようにキャスターの位置と方向を正確に揃えてから収納させるという手間がかからなくなった。すなわち、両側面の端部がガイドとして外側に開かれているので、キャスターの側面がガイドの内側に当接すれば、あとはガイドがキャスターを誘導して、円滑に収納作業が行える。キャスターは、周知のように取付軸に対して３６０°回転自在であるところにその特徴があり、この特徴がまた逆に働いてキャスター固定具への収納を難しくしていた側面は否めないが、両側板の端部をガイドとすることにより、ある程度キャスターの進入方向がずれていても、どちらかのガイドの内側に当接しさえすれば、あとはガイドが誘導して適性位置に導きいれてくれるので、操作する人間の方の負担は格段に軽くなるものである。
【００１６】
本考案の解決手段４の考案によれば、上記キャスター固定手段として、座金付キャスターの座金が固定される連結部材を有し、該連結部材がボルトと蝶ナットにより筺体に固定されているので、キャスターは、連結部材を介してキャスター固定具に確実に固定され、キャスターの転動はもとより、水平方向の移動も、垂直方向の移動も完全に防止される。また、連結部材がボルトと蝶ナットにより筺体に固定されていることから、ドライバー等の道具を用いることなくこの蝶ナットを緩めるだけで、簡単に固定状態を解除でき、さらに固定状態とする際にも簡単である。さらに、ボルトの頭部と筺体の間に軟質材製のワッシャーが嵌装すれば、ボルトの頭部を指で押さえながら蝶ナットを回すだけで簡単にボルトの螺着、螺脱を行うことが可能となる。すなわち、軟質材製のワッシャーを用いない場合には、ボルトの頭部の回転を抑えるために、場合によってはドライバーなどの工具を用いなければならないケースもあるが（締結状態が強固な場合）、軟質材製のワッシャーを用いることにより、ボルトの頭部と軟質材製のワッシャーの摩擦力によってボルトの頭部の回転が抑制されるので、ボルトの頭部を軽く指で押さえて蝶ナットを手で回転させることにより、簡単にボルトの螺着、螺脱が行える。この、解決手段４の考案にては、キャスターをキャスター固定具に固定する固定手段が１箇所のボルトナットのみであって、しかもこの１箇所の固定によってキャスターの水平方向及び垂直方向への運動が確実に防止されるので、座金付のキャスターの固定方法としては、固定の確実性と固定操作・解除操作の簡便性からいってこれ以上の固定方法はまず考えられない、いわば究極的な固定方法とも言い得るものである。
【００１７】
本考案の解決手段５の考案によれば、上記キャスター固定手段として、軸がキャスターのカバー部材の上面に当接し一端が筺体の左側面に挿通固定され他端が筺体の右側面に挿通固定されたボルトと、軸がキャスターの車輪の前面に当接し一端が筺体の左側面に挿通固定され他端が筺体の右側面に挿通固定されたボルトと、軸がキャスターの車輪の後面に当接し一端が筺体の左側面に挿通固定され他端が筺体の右側面に挿通固定されたボルトを有し、軸がキャスターの車輪の前面に当接するボルトあるいは軸がキャスターの車輪の後面に当接するボルトの少なくとも一方を締結するナットが蝶ナットであるので、キャスターは、連結部材を介してキャスター固定具に確実に固定され、キャスターの転動はもとより、水平方向の移動も、垂直方向の移動も完全に防止される。また、連結部材がボルトと蝶ナットにより筺体に固定されていることから、ドライバー等の道具を用いることなくこの蝶ナットを緩めるだけで、簡単に固定状態を解除でき、さらに固定状態とする際にも簡単である。さらに、ボルトの頭部と筺体の間に軟質材製のワッシャーを嵌装すれば、ボルトの頭部を指で押さえながら蝶ナットを回すだけで簡単にボルトの螺着、螺脱を行うことが可能となる。
【００１８】
解決手段５の考案の固定手段は、３本のボルトをキャスターに当接させて３点でキャスターを固定する３点固定方式であり、これをもって、キャスターの水平方向、垂直方向の動きを完全に封じることができる。しかも、３点が固定されているにもかかわらず、ボルトを１本はずすだけで固定状態を解除できるので、利便性は解決手段４に記載の考案と変わらない。また、着脱対象となるボルトのナットには蝶ナットを用い、さらに場合によってはボルトの頭部と筺体の間に軟質材製のワッシャーを嵌装すれば、ドライバー等の工具が不要で、指で軽くボルトの頭部を押さえるだけでボルトの螺着、螺脱が行えるという点においても解決手段４の考案と同様の効果を奏するものである。ただ、解決手段４の考案は、キャスターの座金部分と筺体を固定するので、その固定状態は、解決手段５の考案より強固なものとなる。しかるに、解決手段５の考案の利点は、解決手段５の考案は、座金部分を有しないキャスターに対しても応用可能であるという点である。
【００１９】
本考案の解決手段６の考案によれば、筺体を床面に固定するための全体固定手段が、１００Ｈｚ以下の低周波帯に振動特性を有しないスチレン系ポリマー製の板材であるので、地震の際の振動を効率的に吸収でき、かつ筺体の底面と床面に対して強力な粘着力を有し、さらに床面や巨体の底面から簡単に剥離することができる。地震は、周期的な加速度を与えられた１００Ｈｚ以下の低周波の断続的な振動とされているが、本考案の解決手段６の考案における全体固定手段は、この１００Ｈｚ以下の低周波帯に振動特性を有しない素材からなるために、地震の際の振動を効率的に熱エネルギーに変換することができ、キャスター固定具の振動を確実に抑制することが可能である。
【考案を実施するための最良の形態】
【００２０】
本考案を実施するための最良の形態を、以下に、図面を参照しながら詳細に説明する。
【実施例１】
【００２１】
＜実施例１の構成＞
図１〜図７は、本考案の実施例１のキャスター固定具Ｆ１で、キャスターＣを収納した状態にて示している。実施例１のキャスター固定具Ｆ１は、図１〜図７に見るように、平板状の座金Ｚ付のキャスターＣ用のキャスター固定具であって、キャスターＣを収納する筺体１１と、キャスターＣを転動させつつ円滑に筺体内に収納できる誘導手段３１と、キャスターＣの水平及び垂直の動きを防止してキャスターＣを筺体１１に固定するためのキャスター固定手段４１と、筺体を床面に固定する全体固定手段２１とから構成されている。なお、Ｃ１はキャスターＣの車輪、Ｃ２はキャスターＣのカバー、Ｃ３はキャスターＣの回転軸、ＺはキャスターＣの座金、ＣＢ１、ＣＢ２、ＣＢ３、ＣＢ４は座金Ｚを物品ＯＢに固定するためのボルト、ＣＮ１、ＣＮ２、ＣＮ３、ＣＮ４はナットである。
【００２２】
筺体１１は、キャスターＣが載置される長方形状の底面１１ａと、底面１１ａと一体に垂設された台形状の左側面１１ｂと、底面１１ａと一体に垂設された台形状の右側面１１ｃから構成されており、筺体１１の前部と後部は開放状態である。なお、筺体１１の材質は、金属や硬質プラスティックを用いることができる。図９に示すように、筺体１１の左側面１１ｂの後部上端には円孔Ｈ１が穿設され、前部下端には円孔Ｈ２が穿設されている。また、筺体１１の右側面１１ｃの後部上端には円孔Ｈ３が穿設され、前部下端には円孔Ｈ４が穿設されている。
【００２３】
筺体１１の底面１１ａの下面には、平面視で底面１１ａと同一形状の全体固定手段２１が貼着されている。全体固定手段２１は、１００Ｈｚ以下の低周波帯に振動特性を有しないスチレン系ポリマー製の板材で、その厚さは後述の誘導手段３１の斜路３１ａの高さｈ１に一致させてある。
【００２４】
筺体１１の後部開放面には誘導手段３１が筺体１１と一体に設けられている。誘導手段３１は、斜路３１ａとガイド３１ｂ、３１ｃから構成されているが、斜路３１ａは筺体１１の底面１１ａの後端部に、底面１１ａと一体に連接されており、斜路３１ａの前部は底面１１ａと同一の高さｈ１（図１〜図４参照）であるが、後部に至るに従い高さを減じ、斜路３１ａの後端は床面ＦＬに接している。また、ガイド３１ｂは縦長の台形の板状で、筺体１１の左側面１１ｂの後端部に左側面１１ｂと一体に連接されており、ガイド３１ｂの前部は左側面１１ｂと同一の位置にあるが、後部に至るに従い左方に開き、ガイド３１ｂの後端下部は左側面１１ｂから距離ｄ１だけ左方に位置している（図１、図２、図５、図６参照）。距離ｄ１は、実施例１にては斜路３１ａの高さｈ１と略同一とされているが、適宜変更は可能である。例えば、キャスターＣが付設される物品ＯＢが軽量のものであれば距離ｄ１は小さめでも良いが、物品ＯＢが重くなれば、さらに大としても良い。さらに、ガイド３１ｃは縦長の台形の板状で、筺体１１の右側面１１ｃの後端部に右側面１１ｃと一体に連接されており、ガイド３１ｃの前部は右側面１１ｃと同一の位置にあるが、後部に至るに従い右方に開き、ガイド３１ｃの後端下部は右側面１１ｃから距離ｄ２だけ右方に位置している（図１、図２、図５、図６参照）。距離ｄ２は、実施例１にては距離ｄ１と同一であり、距離ｄ１と同様、物品ＯＢが重くなれば、大とすることができる。
【００２５】
キャスター固定手段４１は、図１〜図８及び図１０に見るように、板状部材を正面視及び背面視が門構え型になるように曲折させた連結部材で、金属製あるいは硬質プラスティック製とすることができる。上面４１ａの両端部に円孔Ｈ４１、Ｈ４２が穿設されており、左側面４１ｂ下部には円孔Ｈ４３が、右側面４１ｃ下部には円孔Ｈ４４が穿設されている。円孔Ｈ４１はキャスターＣのボルトＣＢ３（図２参照）が挿嵌できる大きさで、ボルトＣＢ３が挿嵌され、ナットＣＮ３にて締結されている。また、円孔Ｈ４２はキャスターＣのボルトＣＨ４（図２参照）が挿嵌できる大きさで、ボルトＣＢ４が挿嵌され、ナットＣＮ４にて締結されている。したがって、キャスター固定手段４１（連結部材）は、ボルトＣＢ３、ＣＢ４、ナットＣＮ３、ＣＮ４により、キャスターＣの座金Ｚに螺着固定されている。また、円孔Ｈ４３は筺体１１の左側面１１ｂの円孔Ｈ１（図８、図９参照）と同一の大きさであり、円孔Ｈ４４は筺体１１の右側面１１ｃの円孔Ｈ３（図８、図９参照）と同一の大きさである。円孔Ｈ４３、Ｈ４４にはボルトＢ１（図１〜図８参照）が挿嵌され、蝶ナットであるナットＮ１にて締結されている。したがって、キャスター固定手段４１（連結部材）は、ボルトＢ１、ナットＮ１により、筺体１１の左側面１１ｂと右側面１１ｃに螺着固定されている。以上より、キャスターＣの座金Ｚと筺体１１は、キャスター固定手段４１（連結部材）により相互に固着状態とされている。
【００２６】
ボルトＢ１は、筺体１１の左側面１１ｂの後部上端と右側面１１ｃの後部上端に螺着固定されることにより、図１〜図７に示すように、左側面１１ｂと右側面１１ｃの後部上端の間に渡設された状態にある。ボルトＢ１を左側面１１ｂ側にて締結するナットＮ１は前述のように蝶ナットであり、Ｗ１ａはナットＮ１と左側面１１ｂの間に挿嵌された金属製のワッシャーである。また、右側面１１ｃ側にてボルトＢ１の頭部Ｂ１ａと右側面１１ｃの間に挿嵌されたワッシャーＷ１ｂはゴムあるいは軟質プラスティック等の軟質材製で、ナットＮ１によりボルトＢ１が締結された状態で、ボルトＢ１の軸Ｂ１ｂ方向に圧縮された状態にある。
【００２７】
ボルトＢ２は、筺体１１の左側面１１ｂの前部下端と右側面１１ｃの前部下端に螺着固定されることにより、図１〜図７に示すように、左側面１１ｂと右側面１１ｃの前部下端の間に渡設された状態にある。ボルトＢ２を左側面１１ｂ側にて締結するナットＮ２は通常のナットであり、Ｗ２ａはナットＮ２と左側面１１ｂの間に挿嵌された金属製のワッシャーである。また、右側面１１ｃ側にてボルトＢ２の頭部Ｂ２ａと右側面１１ｃの間に挿嵌されたワッシャーＷ２ｂはゴムあるいは軟質プラスティック等の軟質材製で、ナットＮ２によりボルトＢ２が締結された状態で、ボルトＢ２の軸Ｂ２ｂ方向に圧縮された状態にある。なお、ボルトＢ２は、軸Ｂ２ｂがキャスターＣの車輪Ｃ１の前方下部に当接する状態に渡設されている。
【００２８】
＜実施例１の作用＞
まず、実施例１のキャスター固定具Ｆ１にキャスターＣを収納固定する方法を説明する。まず、キャスターＣは物品ＯＢに付設された状態で、キャスターＣの座金Ｚには、既に、連結部材であるキャスター固定手段４１がボルトＣＢ３、ＣＢ４により螺着された状態となっている。また、キャスター固定具Ｆ１は、図８に見るようにボルトＢ２が筺体１１の左側面１１ｂと右側面１１ｃの前部下端の間に渡設され、ボルトＢ１は渡設されていない状態となっている。
【００２９】
この状態にて、筺体１１の誘導手段３１のある背面側からキャスターＣを転動させながら筺体１１内に収納する（方向α）。この際、筺体１１の底面１1ａの後端部に一体に連接された斜路３１ａの作用により段差を生じることなく極めて円滑に転動しながら収納されるものである。また、筺体１１の左側面１１ｂの後端部に一体に連接されたガイド３１ｂと筺体１１の右側面１１ｃの後端部に一体に連接されたガイド３１ｃの作用により、進行方向が直進方向から多少ずれていたり車輪Ｃ１の向きが進行方向から多少ずれていても、キャスターＣの前部がガイド３１ｂとガイド３１ｃの間に入っていれば、キャスターＣの前部はガイド３１ｂ、３１ｃの誘導作用により円滑に筺体１１内に収納されるものである。
【００３０】
またさらに、筺体１１の左側面１１ｂと右側面１１ｃの前部下端の間に渡設されたボルトＢ２の軸Ｂ２ｂがストッパーの役割を果たし、キャスターＣの前部（車輪Ｃ１の前部）が軸Ｂ２ｂに当接したところでキャスターＣの転動は停止されるが、この位置にて、キャスター固定手段４１の円孔Ｈ４３と筺体１１の左側面の円孔Ｈ１が重なり、キャスター固定手段４１の円孔Ｈ４４と筺体１１の左側面の円孔Ｈ２が重なるように構成されている。
【００３１】
この状態にて、ボルトＢ１の軸Ｂ１ｂに軟質材製のワッシャーＷ１ｂを挿嵌して円孔Ｈ３、Ｈ４４、Ｈ４３、Ｈ１に挿通し、左側面１１ｂ側に突出した軸Ｂ１ｂの端部にワッシャーＷ１ａとナットＮ１を挿嵌し、ボルトＢ１の頭部Ｂ１ａを指先で軽く押圧しながらナットＮ１を締結する。ナットＮ１は蝶ナットであるので、専用の工具は用いず、手で回転締結が可能である。また、ワッシャーＷ１ｂは軟質材製であるので、ボルトＢ１の頭部Ｂ１ａを指先で軽く押圧するだけで頭部Ｂ１ｂとワッシャーＷ１ｂの間に、またワッシャーＷ１ｂと右側面１１ｃの間に摩擦力が働き、特殊な工具を用いなくても締結固定が可能となる。
【００３２】
これにて、キャスターＣの収納固定は完了する（図７参照）。キャスターＣはその座金Ｚがキャスター固定手段４１を介して筺体１１に強固に固定されているので、水平方向の振動に対しても垂直方向の振動に対してもキャスターＣは不動の状態であり、無論キャスターＣの転動も生じない。また、キャスター固定具Ｆ１全体は、全体固定手段２１により、床面ＦＬに強固に固定されている。なお、キャスターＣはキャスター固定手段４１のみで完全にキャスター固定具Ｆ１中に収納固定されており、ボルトＢ２はキャスターＣの固定に対しては補助的な役割しか果たしていない。ボルトＢ２の本来的な役割は、上述のようにキャスターＣを転動させつつ筺体１１内に収納する際のストッパーとしての役割である。
【００３３】
次に、キャスターＣを固定解除して、キャスター固定具Ｆ１から脱出させる方法を説明する。図７の状態から、まず、ナットＮ１を手で緩める。この際、ボルトＢ１の頭部Ｂ１ａを軽く指先で押圧するだけで、ワッシャーＷ１ｂの摩擦力により、ナットＮ１がよほど固く締結されていたとしても、専用の工具なしにナットＮ１の解除が可能となる。このようにして、軸Ｂ１ｂの端部からナットＮ１を螺脱したならば、ボルトＢ１の頭部Ｂ１ａを持ってボルトＢ１を円孔Ｈ３、Ｈ４４、Ｈ４３、Ｈ１から引き抜く。これにより、キャスター固定手段４１と筺体１１の固定状態は解除されるので、後は、キャスターＣを後方（図８のβ方向）に転動させ、キャスター固定具Ｆ１から脱出させれば良い。この際、斜路３１ａの作用により、キャスターＣは極めて円滑に転動して筺体１１からの脱出が行われるものである。このようにして図８に示す状態となり、キャスターＣの脱出は完了する。
【実施例２】
【００３４】
＜実施例２の構成＞
図１１〜図１６は、本考案の実施例２のキャスター固定具Ｆ２で、キャスターＣを収納した状態にて示している。実施例２のキャスター固定具Ｆ２は、実施例１同様、平板状の座金Ｚ付のキャスターＣ用のキャスター固定具であって、キャスターＣを収納する筺体１２と、キャスターＣを転動させつつ円滑に筺体内に収納できる誘導手段３２と、キャスターＣの水平及び垂直の動きを防止してキャスターＣを筺体１２に固定するためのキャスター固定手段４２と、筺体を床面に固定する全体固定手段２２とから構成されている。
【００３５】
筺体１２は、キャスターＣが載置される長方形状の底面１２ａと、底面１２ａと一体に垂設された台形状の左側面１２ｂと、底面１２ａと一体に垂設された台形状の右側面１２ｃから構成されており、筺体１２の前部と後部は開放状態である。なお、筺体１２の材質は、金属や硬質プラスティックを用いることができる。図１７の組付構成図に見るように、筺体１２の左側面１２ｂの前部上端には円孔Ｈ５が、前部下端には円孔Ｈ７が、後部下端には円孔Ｈ９が夫々穿設されている。また、筺体１２の右側面１２ｃの前部上端には円孔Ｈ６が、前部下端には円孔Ｈ８が、後部下端には円孔Ｈ１０が夫々穿設されている。
【００３６】
筺体１２の底面１２ａの下面には、平面視で底面１２ａと同一形状の全体固定手段２２が貼着されている。全体固定手段２２は、実施例１の全体固定手段１２と同様、１００Ｈｚ以下の低周波帯に振動特性を有しないスチレン系ポリマー製の板材で、その厚さは後述の誘導手段３２の斜路３２ａの高さｈ２に一致させてある。
【００３７】
筺体１２の後部開放面には誘導手段３２が筺体１２と一体に設けられている。誘導手段３２は、斜路３２ａとガイド３２ｂ、３２ｃから構成されており、その構成は実施例１の誘導手段３１と略同一であるので、詳細な説明は省略する。斜路３２ａの高さｈ２（図１１〜図１４参照）は実施例１のキャスター固定具における高さｈ１（図１参照）と、ガイド３２ｂの後端下部の開き具合を表す距離ｄ３は実施例１の距離ｄ１（図１参照）と、ガイド３２ｃの後端下部の開き具合を表す距離ｄ４は実施例１の距離ｄ２（図１参照）と、夫々同一である。なお、実施例１と同様、距離ｄ３、ｄ４は、物品ＯＢが重くなるにしたがい、大とすることができる。
【００３８】
キャスター固定手段４２は、図１１〜図１７に見るように、３本のボルトＢ３、Ｂ４、Ｂ５より構成されている。ボルトＢ３は筺体１２の左側面１２ｂの円孔Ｈ５と右側面１２ｃの円孔Ｈ６に挿嵌渡設されていて、左側面１２ｂ側にてナットＮ３により締結されている。Ｂ３ａはボルトＢ３の頭部であり、Ｂ３ｂはボルトＢ３の軸である。なお、Ｗ３ａはナットＮ３と左側面１２ｂの間に挿嵌された金属製のワッシャーであり、Ｗ３ｂは頭部Ｂ３ａと右側面１２ｃの間に挿嵌されたゴムあるいは軟質プラスティック等の軟質材製のワッシャーである。
【００３９】
次に、ボルトＢ４は筺体１２の左側面１２ｂの円孔Ｈ７と右側面１２ｃの円孔Ｈ８に挿嵌渡設されていて、左側面１２ｂ側にてナットＮ４により締結されている。Ｂ４ａはボルトＢ４の頭部であり、Ｂ４ｂはボルトＢ４の軸である。なお、Ｗ４ａはナットＮ４と左側面１２ｂの間に挿嵌された金属製のワッシャーであり、Ｗ４ｂは頭部Ｂ４ａと右側面１２ｃの間に挿嵌されたゴムあるいは軟質プラスティック等の軟質材製のワッシャーである。
【００４０】
さらに、ボルトＢ５は筺体１２の左側面１２ｂの円孔Ｈ９と右側面１２ｃの円孔Ｈ１０に挿嵌渡設されていて、左側面１２ｂ側にてナットＮ５により締結されている。Ｂ５ａはボルトＢ５の頭部であり、Ｂ５ｂはボルトＢ５の軸である。また、ナットＮ５は蝶ナットである。なお、Ｗ５ａはナットＮ５と左側面１２ｂの間に挿嵌された金属製のワッシャーであり、Ｗ５ｂは頭部Ｂ５ａと右側面１２ｃの間に挿嵌されたゴムあるいは軟質プラスティック等の軟質材製のワッシャーである。
【００４１】
図１５に見るように、ボルトＢ３の軸Ｂ３ｂはキャスターＣのカバーＣ２の上端部よりやや前方の部分に当接し、ボルトＢ４の軸Ｂ４ｂはキャスターＣの車輪Ｃ１の前方下部に当接し、ボルトＢ５の軸Ｂ５ｂはキャスターＣの車輪Ｃ１の後方下部に当接するように構成されている。したがって、キャスターＣは、ボルトＢ３、Ｂ４、Ｂ５から構成されるキャスター固定手段４２により、筺体１２内に、水平方向にも垂直方向にも移動しないように、また車輪Ｃ１の転動も起こらないように収納固定されている。
【００４２】
＜実施例１の作用＞
まず、実施例２のキャスター固定具Ｆ２にキャスターＣを収納固定する方法を説明する。まず、キャスターＣは物品ＯＢに付設された状態で、キャスター固定具Ｆ２は、図１７に見るようにボルトＢ３、Ｂ４が筺体１２の左側面１２ｂと右側面１２ｃの間に渡設され、ボルトＢ５のみが渡設されていない状態となっている。
【００４３】
この状態にて、筺体１２の誘導手段３２が設けられている背面側からキャスターＣを転動させながら筺体１２内に収納する（方向α）。この際、筺体１２の底面１２ａの後端部に一体に連接された斜路３２ａの作用により段差を生じることなく極めて円滑に転動しながら収納される点は実施例１と同様である。また、ガイド３２ｂとガイド３２ｃの作用により、進行方向が直進方向から多少ずれていたり車輪Ｃ１の向きが進行方向から多少ずれていても、キャスターＣの前部がガイド３２ｂとガイド３２ｃの間に入っていれば、キャスターＣの前部はガイド３２ｂ、３２ｃの誘導作用により円滑に筺体１２内に収納される点も実施例１と同様である。
【００４４】
またさらに、筺体１２の左側面１２ｂと右側面１２ｃの間に渡設されたボルトＢ３の軸Ｂ３ｂとボルトＢ４の軸Ｂ４ｂがストッパーの役割を果たし、キャスターＣのカバーＣ２の上端部のやや前方が軸Ｂ３ｂに当接し、キャスターＣの車輪Ｃ１の前部が軸Ｂ４ｂに当接したところでキャスターＣの転動は停止される。この状態にて、ボルトＢ５の軸Ｂ５ｂにワッシャーＷ５ｂを挿嵌して円孔Ｈ９、Ｈ１０、に挿通し、左側面１２ｂ側に突出した軸Ｂ５ｂの端部にワッシャーＷ５ａとナットＮ５を挿嵌し、ボルトＢ５の頭部Ｂ５ａを指先で軽く押圧しながらナットＮ５を締結する。ナットＮ５は蝶ナットであるので、専用の工具は用いず、手で回転締結が可能である。また、ワッシャーＷ５ａは軟質材製であるので、ボルトＢ５の頭部Ｂ５ａを指先で軽く押圧するだけで頭部Ｂ５ａとワッシャーＷ５ｂの間に、またワッシャーＷ５ｂと右側面１２ｃの間に摩擦力が働き、特殊な工具を用いなくても締結固定が可能となる。
【００４５】
これにて、キャスターＣの収納固定は完了する（図１６参照）。キャスターＣは、ボルトＢ３、Ｂ４、Ｂ５からなるキャスター固定手段４２を介して筺体１２に強固に固定されているので、水平方向の振動に対しても垂直方向の振動に対してもキャスターＣは不動の状態であり、無論キャスターＣの転動も生じない。また、キャスター固定具Ｆ２全体は、全体固定手段２２により、床面ＦＬに強固に固定されている。
【００４６】
次に、キャスターＣを固定解除して、キャスター固定具Ｆ２から脱出させる方法を説明する。図１６の状態から、まず、ナットＮ５を手で緩める。この際、ボルトＢ５の頭部Ｂ５ａ（図１２参照）を軽く指先で押圧するだけで、ワッシャーＷ５ｂの摩擦力により、ナットＮ５がよほど固く締結されていたとしても、専用の工具なしにナットＮ５の解除が可能となる。このようにして、軸Ｂ５ｂの端部からナットＮ５を螺脱したならば、ボルトＢ５の頭部Ｂ５ａを持ってボルトＢ５を円孔Ｈ９、Ｈ１０から引き抜く。これにより、キャスター固定手段４２と筺体１２の固定状態は解除されるので、後は、キャスターＣを後方（図１７のβ方向）に転動させ、キャスター固定具Ｆ２から脱出させれば良い。この際、斜路３２ａの作用により、キャスターＣは極めて円滑に転動して筺体１２からの脱出が行われるものである。このようにして図１７に示す状態となり、キャスターＣの脱出は完了する。
【実施例３】
【００４７】
＜実施例３の構成＞
実施例３のキャスター固定具Ｆ３の構成を図１８に示す。実施例３のキャスター固定具Ｆ３は、筺体１３と全体固定手段２３と誘導手段３３とキャスター固定手段４３の構成は、実施例２のキャスター固定具Ｆ２の筺体１２と全体固定手段２２と誘導手段３２とキャスター固定手段４２の構成と略同一であるが、キャスター固定手段４４がこれに追加されるという点が、実施例２のキャスター固定具Ｆ２と異なっている。そして、このキャスター固定手段４４は、実施例１のキャスター固定具Ｆ１のキャスター固定手段４１と略同一の構成となっている。すなわち、実施例３のキャスター固定具Ｆ３は、キャスター固定手段において、実施例１のキャスター固定手段４１の構成と実施例２のキャスター固定手段４２の構成の両者を合わせた、キャスター固定手段４３、４４として構成されているものである。
【００４８】
従って、実施例３のキャスター固定具Ｆ３においては、キャスターＣはキャスター固定手段４３とキャスター固定手段４４の両方の固定手段によって筺体１３内に収納固定される。すなわち、キャスター固定手段４３において、３本のボルトＢ６、Ｂ７、Ｂ８によりキャスターＣの車輪Ｃ１とカバーＣ２が水平方向にも垂直方向にも動かないように固定された上に、キャスター固定手段４４によりキャスターＣの座金Ｚと筺体１３が固着される。したがって、この実施例３のキャスター固定具Ｆ３は、実施例２のキャスター固定具Ｆ２、実施例１のキャスター固定具Ｆ１と比較すると、はるかに強固な固定状態を齎すものである。なお、ボルトＢ６はキャスター固定具Ｆ２のボルトＢ３と、ボルトＢ７はキャスター固定具Ｆ２のボルトＢ４と、ボルトＢ８はキャスター固定具Ｆ２のボルトＢ５と、そして、ボルトＢ９はキャスター固定具Ｆ１のボルトＢ１と、夫々同一の構成となっている。
【００４９】
＜実施例３の作用＞
実施例３のキャスター固定具Ｆ３は、作用、すなわち筺体１３内へのキャスターＣの進退の点においても、キャスター固定具Ｆ１（実施例１）、キャスター固定具Ｆ２（実施例２）の両者を合わせたような手順が必要となる。すなわち、キャスターＣを筺体１３内に進入させて収納固定するためには、筺体１３の後部のボルトＢ８，Ｂ９の２本を予め筺体１３から螺脱しておき、キャスターＣを筺体１３内に進入させたあと、ボルトＢ８，Ｂ９を締結して固定する。キャスターＣを筺体１３内から脱出させる場合にはこの逆の手順となる。したがって、キャスター固定具Ｆ１、Ｆ２に比較するとキャスターＣを進入させる場合にも脱出させる場合にも１本余分にボルトの螺着・螺脱を行わねばならない。しかしその分、固定状態は強固となるので、実施例３のキャスター固定具Ｆ３は、物品ＯＢの重量がより重い場合や、あるいは何らかの事情でキャスター固定具Ｆ１、Ｆ２よりさらに強固な固定性能が欲しい場合に用いることができるものである。
なお、ボルトＢ８，Ｂ９を専用の工具を用いることなく簡単に手で螺着・螺脱できる点や誘導手段３３により円滑にキャスターＣを筺体１３内に収納できる点は、キャスター固定具Ｆ１、Ｆ２と同様である。
【産業上の利用可能性】
【００５０】
本考案のキャスター固定具は、平板状の座金付のキャスターを対象とするものであるが、前述のように実施例２の考案は、座金の無いキャスターにも応用可能である。すなわち、広範囲のキャスターの固定具として用いることができるものである。
【図面の簡単な説明】
【００５１】
【図１】本考案の実施例１のキャスター固定具の正面図である。
【図２】本考案の実施例１のキャスター固定具の背面図である。
【図３】本考案の実施例１のキャスター固定具の左側面図である。
【図４】本考案の実施例１のキャスター固定具の右側面図である。
【図５】本考案の実施例１のキャスター固定具の平面図である。
【図６】本考案の実施例１のキャスター固定具の底面図である。
【図７】本考案の実施例１のキャスター固定具の背面左上方から見た外観斜視図である。
【図８】本考案の実施例１のキャスター固定具の作用を説明する説明図である。
【図９】本考案の実施例１のキャスター固定具の筺体の背面左上方から見た外観斜視図である。
【図１０】本考案の実施例１のキャスター固定具のキャスター固定手段の背面左上方から見た外観斜視図である。
【図１１】本考案の実施例２のキャスター固定具の正面図である。
【図１２】本考案の実施例２のキャスター固定具の背面図である。
【図１３】本考案の実施例２のキャスター固定具の左側面図である。
【図１４】本考案の実施例２のキャスター固定具の右側面図である。
【図１５】図１２のＡ−Ａ線断面図である。
【図１６】本考案の実施例２のキャスター固定具の背面左上方から見た外観斜視図である。
【図１７】本考案の実施例２のキャスター固定具の作用を説明する説明図である。
【図１８】本考案の実施例３のキャスター固定具の背面左上方から見た外観斜視図である。
【符号の説明】
【００５２】
１１    筺体
１１ａ  底面
１１ｂ  左側面
１１ｃ  右側面
１２    筺体
１２ａ  底面
１２ｂ  左側面
１２ｃ  右側面
１３    筺体
２１    全体固定手段
２２    全体固定手段
２３    全体固定手段
３１    誘導手段
３１ａ  斜路
３１ｂ  ガイド
３１ｃ  ガイド
３２    誘導手段
３２ａ  斜路
３１ｂ  ガイド
３１ｃ  ガイド
３３    誘導手段
４１    キャスター固定手段
４１ａ  上面
４１ｂ  左側面
４１ｃ  右側面
４２    キャスター固定手段
４３    キャスター固定手段
４４    キャスター固定手段
Ｂ１    ボルト
Ｂ１ａ  頭部
Ｂ１ｂ  軸
Ｂ２    ボルト
Ｂ２ａ  頭部
Ｂ２ｂ  軸
Ｂ３    ボルト
Ｂ３ａ  頭部
Ｂ３ｂ  軸
Ｂ４    ボルト
Ｂ４ａ  頭部
Ｂ４ｂ  軸
Ｂ５    ボルト
Ｂ５ａ  頭部
Ｂ５ｂ  軸
Ｂ６    ボルト
Ｂ７    ボルト
Ｂ８    ボルト
Ｂ９    ボルト
Ｃ      キャスター
Ｃ１    車輪
Ｃ２    カバー
Ｃ３    回転軸
ＣＢ１  ボルト
ＣＢ２  ボルト
ＣＢ３  ボルト
ＣＢ４  ボルト
ＣＮ１  ナット
ＣＮ２  ナット
ＣＮ３  ナット
ＣＮ４  ナット
Ｆ１    キャスター固定具
Ｆ２    キャスター固定具
Ｆ３    キャスター固定具
ＦＬ    床面
Ｈ１    円孔
Ｈ２    円孔
Ｈ３    円孔
Ｈ４    円孔
Ｈ４１  円孔
Ｈ４２  円孔
Ｈ４３  円孔
Ｈ４４  円孔
Ｈ５    円孔
Ｈ６    円孔
Ｈ７    円孔
Ｈ８    円孔
Ｈ９    円孔
Ｈ１０  円孔
Ｎ１    ナット
Ｎ２    ナット
Ｎ３    ナット
Ｎ４    ナット
Ｎ５    ナット
ＯＢ    物品
Ｗ１ａ  ワッシャー
Ｗ１ｂ  ワッシャー
Ｗ２ａ  ワッシャー
Ｗ２ｂ  ワッシャー
Ｗ３ａ  ワッシャー
Ｗ３ｂ  ワッシャー
Ｗ４ａ  ワッシャー
Ｗ４ｂ  ワッシャー
Ｗ５ａ  ワッシャー
Ｗ５ｂ  ワッシャー
Ｚ      座金
ｈ１    高さ
ｈ２    高さ
ｄ１    距離
ｄ２    距離
ｄ３    距離
ｄ４    距離
α      方向
β      方向
【図１】
0003125060.tif 000003
【図２】
0003125060.tif 000004
【図３】
0003125060.tif 000005
【図４】
0003125060.tif 000006
【図５】
0003125060.tif 000007
【図６】
0003125060.tif 000008
【図７】
0003125060.tif 000009
【図８】
0003125060.tif 000010
【図９】
0003125060.tif 000011
【図１０】
0003125060.tif 000012
【図１１】
0003125060.tif 000013
【図１２】
0003125060.tif 000014
【図１３】
0003125060.tif 000015
【図１４】
0003125060.tif 000016
【図１５】
0003125060.tif 000017
【図１６】
0003125060.tif 000018
【図１７】
0003125060.tif 000019
【図１８】
0003125060.tif 000020